(57)【要約】【課題】通話相手の音声をスピーカーより出力させたり、小型で小出力のオーディオ機器が出力するオーディオ信号を増幅してスピーカーより出力させたりできるようにする。【解決手段】携帯電話２とオーディオ機器３とが選択的に接続される外部接続端子と、外部接続端子より取り込まれた携帯電話２での音声受信信号またはオーディオ機器３が出力するオーディオ信号を増幅する増幅回路４１を含む信号処理回路４と、増幅回路４１による増幅出力を音に変換して出力するスピーカー４０とを備える。信号処理回路４は外部接続端子より取り込まれた信号の低周波成分をカットして低音を除去する低周波除去回路５と、外部接続端子に携帯電話２が接続されているとき低周波除去回路５を能動化し、外部接続端子にオーディオ機器３が接続されているとき低周波除去回路５を非能動化する制御回路６とを含む。【選択図】図１
2008131478.tif 000002
【特許請求の範囲】
【請求項１】
携帯電話とオーディオ機器とが接続ケーブルを介して選択的に接続される外部接続端子と、外部接続端子より取り込まれた携帯電話での音声受信信号またはオーディオ機器が出力するオーディオ信号を増幅する増幅回路を含む信号処理回路と、前記増幅回路による増幅出力を音に変換して出力するスピーカーとを備え、
前記信号処理回路は、外部接続端子より取り込まれた信号の低周波成分をカットして低音を除去する低周波除去回路と、外部接続端子に携帯電話が接続されているとき前記低周波除去回路を能動化し、外部接続端子にオーディオ機器が接続されているとき前記低周波除去回路を非能動化する制御回路とを含んで成るスピーカー付きアンプ。
【請求項２】
前記制御回路は、携帯電話が通話可能な状態にあることを検出してオン動作する半導体スイッチを含み、前記半導体スイッチのオン動作により低周波除去回路が能動化され、半導体スイッチのオフ動作により低周波除去回路が非能動化されるようになっている請求項１に記載されたスピーカー付きアンプ。
【請求項３】
前記接続ケーブルは、１本がアースライン、２本が信号ラインに設定されるステレオオーディオケーブルであり、２本の信号ラインは、オーディオ機器に接続されるときは、オーディオ信号のステレオ出力回路にそれぞれ接続され、携帯電話に接続されるときは、音声受信信号の受信回路と音声送信信号の送信回路とに接続される請求項１または２に記載されたスピーカー付きアンプ。
【請求項４】
請求項１または２に記載されたスピーカー付きアンプと、音声入力のためのマイクロフォンとから成り、前記スピーカー付きアンプは、外部接続端子より携帯電話での音声受信信号が取り込まれたときマイクロフォンの感度を下げる感度調整回路を備えて成る携帯電話のハンズフリー装置。
【発明の詳細な説明】
【技術分野】
【０００１】
この発明は、携帯電話で受信した音声信号（以下、「音声受信信号」という。）を増幅して通話相手の音声をスピーカーより出力させるスピーカー付きアンプと、携帯電話を手に持たずに通話することが可能な携帯電話のハンズフリー装置とに関し、特に、この発明は、通話相手の音声をスピーカーより出力させるという用途に加えて、オーディオ機器が出力するオーディオ信号を増幅してスピーカーより出力させるという用途にも適用できるスピーカー付きアンプと、そのアンプが用いられた携帯電話のハンズフリー装置とに関する。
【背景技術】
【０００２】
携帯電話の普及により走行中の車両において携帯電話による通話が行われるようになり、それが原因で交通事故が多発している。特に、運転中に着信に応答すると、前方不注意となったり、注意散漫になったりして、これが原因で事故を引き起こすおそれがある。
そこで、着信時、携帯電話を片手に持って操作したり応答したりすることがない携帯電話のハンズフリー装置が提案された（例えば、特許文献１参照）。
【０００３】
【特許文献１】特開平１０−２２４４４９号公報
【０００４】
このハンズフリー装置は、携帯電話に設けられているイヤホンとマイクロフォンの兼用端子（以下、単に「兼用端子」という。）を利用したもので、携帯電話での音声受信信号を前記兼用端子から外部へ取り出してスピーカーより音声で出力させ、一方、マイクロフォンへの音声入力により得られた相手に送信すべき音声信号（以下、「音声送信信号」という。）を兼用端子から携帯電話へ供給するようにしている。
【発明の開示】
【発明が解決しようとする課題】
【０００５】
上記した携帯電話のハンズフリー装置は、既存の回路を組み合わせて安価に製作することが可能であるが、前記兼用端子にスピーカーやマイクロフォンを接続し、携帯電話での音声受信信号を単に増幅してスピーカーより出力させるだけの簡易な構成では、通話相手の電話機においてエコー現象が発生して音声が聞き取りにくいものとなる。すなわち、スピーカーより出力された通話相手の音声が送話者の音声に混じってマイクロフォンで集音される結果、通話相手の電話機において自らが発した音声がやまびこのように響き渡る現象（エコー現象）を引き起こすのである。
【０００６】
この発明は、上記した問題に着目してなされたもので、携帯電話のハンズフリー装置に用いた場合に通話相手の電話機においてエコー現象が発生するのを抑制する機能を具備させたスピーカー付きアンプと、そのアンプが用いられた携帯電話のハンズフリー装置とを提供することを目的とする。
【０００７】
この発明が他に目的とするところは、通話相手の音声をスピーカーより出力させるという用途に加えて、小型で小出力のオーディオ機器が出力するオーディオ信号を増幅してスピーカーより出力させるという用途にも適用できるスピーカー付きアンプと、そのアンプが用いられた携帯電話のハンズフリー装置とを提供することにある。
【課題を解決するための手段】
【０００８】
この発明によるスピーカー付きアンプは、携帯電話とオーディオ機器とが接続ケーブルを介して選択的に接続される外部接続端子と、外部接続端子より取り込まれた携帯電話での音声受信信号またはオーディオ機器が出力するオーディオ信号を増幅する増幅回路を含む信号処理回路と、前記増幅回路による増幅出力を音に変換して出力するスピーカーとを備えている。前記信号処理回路は、外部接続端子より取り込まれた信号の低周波成分をカットして低音を除去する低周波除去回路と、外部接続端子に携帯電話が接続されているとき前記低周波除去回路を能動化し、外部接続端子にオーディオ機器が接続されているとき前記低周波除去回路を非能動化する制御回路とを含んでいる。
【０００９】
ここで、「オーディオ機器」とは、スピーカーを内蔵していないイヤホン専用のデジタルオーディオプレーヤーや小出力のスピーカーを内蔵するミニラジオのようなオーディオ機器を指している。
【００１０】
上記した構成のスピーカー付きアンプの外部接続端子と携帯電話の兼用端子とを接続したとき、外部接続端子より入力した携帯電話での音声受信信号は信号処理回路に取り込まれて増幅回路で増幅され、その増幅出力はスピーカで音声に変換されて出力されるもので、通話相手の音声をスピーカーによって聞き取ることができる。
外部接続端子に接続されているのが携帯電話であるとき、制御回路の働きで低周波除去回路が能動化される。音声周波数の低周波成分がエコー現象を引き起こす要因の５０％以上を占めることから、低周波除去回路において携帯電話での音声受信信号に含まれる低周波成分をカットして低音を除去することで、エコー現象の発生が抑制される。
外部接続端子にオーディオ機器が接続されているときは、制御回路の働きで低周波除去回路が非能動化されるので、オーディオ機器が出力するオーディオ信号の低周波成分はカットされず、低音除去による音の変質や音質の低下を招くおそれはない。
【００１１】
この発明の上記した構成において、「制御回路」は専用のハードウェア回路によって実現する他、プログラムされたコンピュータによっても実現することも可能である。
好ましい実施態様においては、前記制御回路は、携帯電話が通話可能な状態（相手の電話とつながっている状態）にあることを検出してオン動作する半導体スイッチを含むもので、前記半導体スイッチのオン動作により低周波除去回路が能動化され、半導体スイッチのオフ動作により低周波除去回路が非能動化されるようになっている。
なお、低周波除去回路は、例えば、コンデンサと抵抗とを組み合わせた簡単な回路により構成でき、例えば、２０〜３００ヘルツの低周波成分をカットするようにする。
【００１２】
この発明の好ましい実施態様においては、前記接続ケーブルとして、１本がアースライン、２本が信号ラインに設定されるステレオオーディオケーブルが使用される。この場合、２本の信号ラインは、オーディオ機器に接続されるときは、オーディオ信号のステレオ出力回路にそれぞれ接続され、携帯電話に接続されるときは、音声受信信号の受信回路と音声送信信号の送信回路とに接続される。
【００１３】
この実施態様の接続ケーブルを介して外部接続端子に通話可能な状態の携帯電話が接続されているとき、携帯電話での音声受信信号は外部接続端子より取り込まれて増幅され、スピーカーによって増幅出力が音に変換されて出力される。この場合、音声送信信号の送信回路は信号送信が可能な電圧レベルに設定されており、制御回路がその電圧レベルによって外部接続端子に通話可能な状態の携帯電話が接続されていることを検出することで、低周波除去回路が能動化される。これにより外部接続端子より取り込まれた音声受信信号の低周波成分がカットされて低音が除去される。
また、この実施態様の接続ケーブルを介して外部接続端子にオーディオ機器が接続されているとき、オーディオ信号の一方のステレオ出力が外部接続端子より取り込まれて増幅され、スピーカーによって増幅出力が音に変換されて出力される。この場合、オーディオ信号は信号の電圧レベルが低いので、制御回路がオーディオ信号の他方のステレオ出力の電圧レベルによって外部接続端子にオーディオ機器が接続されていることを検出することで、低周波除去回路が非能動化される。これにより外部接続端子より取り込まれた音声受信信号の低周波成分がカットされることはない。
【００１４】
この発明による携帯電話のハンズフリー装置は、上記した構成のスピーカー付きアンプと、音声入力のためのマイクロフォンとから成るもので、前記スピーカー付きアンプは、外部接続端子より携帯電話での音声受信信号が取り込まれたときマイクロフォンの感度を下げる感度調整回路を備えている。
ここで、「マイクロフォンの感度を下げる」とは、マイクロフォンへの音声入力によって得られた音声送信信号の携帯電話への供給を所定値またはゼロにまで制限することである。
【００１５】
この実施態様によると、外部接続端子より携帯電話での音声受信信号が取り込まれたとき、感度調整回路がマイクロフォンの感度を下げるので、スピーカより出力される通話相手の音声がマイクロフォンで集音されて音声送信信号として携帯電話へ供給されるのが抑制され、その結果、通話相手の電話機において、エコー現象の発生が抑制される。
外部接続端子より携帯電話での音声受信信号が取り込まれていないときは、感度調整回路はマイクロフォンの感度を下げないので、送話者の音声がマイクロフォンで集音され、音声送信信号として携帯電話へ供給される。
【発明の効果】
【００１６】
この発明によれば、通話相手の音声をスピーカーより出力させるという用途に加えて、特に小型で小出力のオーディオ機器が出力するオーディオ信号を増幅してスピーカーより出力させるという用途にも適用でき、１台のスピーカー付きアンプを有効に活用できる。また、外部接続端子に携帯電話が接続されているときは低周波除去回路を能動化するので、通話相手の電話機においてエコー現象が発生するのを抑制できる。一方、外部接続端子にオーディオ機器が接続されているときは、低周波除去回路が非能動化されるので、低音除去による音の変質を招いたり、音質を低下させたりすることがない。
【発明を実施するための最良の形態】
【００１７】
図１は、この発明の一実施例であるスピーカー付きアンプ１の概略構成を示す。
図示例のスピーカー付きアンプ１は、携帯電話２を手に持たずにマイクロフォン２０とスピーカー４０とを介して通話できるハンズフリー装置に適用されたもので、携帯電話２での音声受信信号を増幅して通話相手の音声をスピーカー４０より出力させるという本来的な用途に加えて、ディジタルオーディオプレーヤーやミニラジオのような小型で小出力のオーディオ機器３が出力するオーディオ信号を増幅してスピーカー４０より出力させるという用途が付加されている。
【００１８】
このスピーカー付きアンプ１は、図２および図３に示すように、箱形の本体ケース１０の片面にスピーカー４０が設けられ、本体ケース１０の一端面に２個の外部接続端子１１，１２が設けられている。一方の外部接続端子１１には、２本の接続ケーブル８，９を介して携帯電話２が、１本の接続ケーブル８を介してオーディオ機器３が、それぞれ選択的に接続される。他方の外部接続端子１２はヘッドホーンを接続するためのものである。なお図中、１３は動作表示ランプである。
【００１９】
前記本体ケース１０の内部には、外部接続端子１１より取り込まれた携帯電話２での音声受信信号またはオーディオ機器３が出力するオーディオ信号を増幅する増幅回路４１を含む信号処理回路４が組み込まれている。増幅回路４１による増幅出力は音に変換されてスピーカー４０より出力される。なお、図示していないが、本体ケース１０の他の片面には、電池１００（図４に示す。）が収容される蓋付きの電池ボックスが設けられている。
【００２０】
前記信号処理回路４は、外部接続端子１１より取り込まれた携帯電話２での音声受信信号の低周波成分をカットして低音を除去するための低周波除去回路５と、外部接続端子１１に通話状態の携帯電話２が接続されているときは低周波除去回路５を能動化し外部接続端子１１にオーディオ機器３が接続されているときは低周波除去回路５を非能動化する制御回路６とを含んでいる。
【００２１】
上記した構成のスピーカー付きアンプ１と音声入力のためのマイクロフォン２０とで携帯電話のハンズフリー装置が構成されるが、スピーカー付きアンプ１は、外部接続端子１１より携帯電話２での音声受信信号が取り込まれたときマイクロフォン２０の感度を下げる感度調整回路７をさらに備えている。
【００２２】
携帯電話２は、通話相手からの音声信号を受信する受信回路と通話相手へ音声信号を送信する送信回路とを内蔵し、適所にイヤホンとマイクロフォンの兼用端子２１が設けられている。この兼用端子２１により携帯電話２に内蔵されているスピーカやマイクロフォンを用いずに、外部のスピーカ４０やマイクロフォン２０を用いて音声の入出力ができるようになっている。なお、携帯電話２は通話相手からの呼び出しに対して自動着信する機能を有しており、このハンズフリー装置を用いるとき、携帯電話２を自動着信の状態に設定しておくのが望ましい。
【００２３】
スピーカー付きアンプ１とオーディオ機器３とは、図３に示すように、第１の接続ケーブル８によって接続される。この接続ケーブル８としてステレオオーディオケーブルが用いてあり、その両端にはスピーカー付きアンプ１の外部接続端子１１とオーディオ機器３のオーディオ信号出力端子３０とに接続が可能な３極端子のプラグ８０，８０がそれぞれ装着されている。
【００２４】
スピーカー付きアンプ１と携帯電話２とは、図２に示すように、第１の接続ケーブル８と第２の接続ケーブル９とを介して接続される。第２の接続ケーブル９は、一端に携帯電話２の共通端子２１に接続することが可能な平型端子９０が装着され、他端にマイクロフォン２０、発着信スイッチ２１、およびソケット９２が組み込まれた操作部９１が装着されている。この操作部９１のソケット９２には第１の接続ケーブル８のプラグ８０が接続可能である。
【００２５】
前記発着信スイッチ２１は、着信時にこれを押すと、電源が入って動作表示ランプ１３が点灯し、通話が可能となる。なお、携帯電話２を自動着信の状態に設定しておけば、発着信スイッチ２１を押すことなく通話ができる。
また、携帯電話２が待機状態のときに発着信スイッチ２１を押すと、あらかじめ携帯電話２で設定した番号に電話を掛けることができる。
【００２６】
図４は、この発明の一実施例であるスピーカー付きアンプ１の構成と、このアンプ１が用いられた携帯電話のハンズフリー装置の構成とを示している。
図示例のハンズフリー装置は、スピーカー付きアンプ１と第１、第２の各接続ケーブル８，９とで構成されている。スピーカー付きアンプ１の外部接続端子１１に第１の接続ケーブル８の一方のプラグ８０を接続し、第１の接続ケーブル８の他方のプラグ８０を第２の接続ケーブル９のソケット９２に接続し、第２の接続ケーブル９の平型端子９０を携帯電話２の共通端子２１に接続する。なお、図中、１２はヘッドホーン２２を接続するための外部接続端子である。また、２０，２１は操作部９１に組み込まれているマイクロフォンと発着信スイッチである。
【００２７】
第１、第２の各接続ケーブル８，９は、１本のアースラインＥと２本が信号ラインＲ，Ｌとを有している。第１のケーブル８の両端に設けられた各プラグ８０は各ラインが繋がった電極部８１Ｅ，８１Ｒ，８１Ｌを有している。第１の接続ケーブル８の２本の信号ラインＲ，Ｌは、プラグ８０がオーディオ機器３に接続されるときは、オーディオ信号のステレオ出力回路に接続される。また、第２の接続ケーブル９を介して携帯電話２に接続されるときは、信号ラインＲが音声受信信号の受信回路に、信号ラインＬが音声送信信号の送信回路に、それぞれ接続される。マイクロフォン９１への音声入力で得られる音声送信信号は第２の接続ケーブル９の送信ラインＬを介して音声送信信号の送信回路に供給される。
【００２８】
スピーカー付きアンプ１は、第１の接続ケーブル８が接続される外部接続端子１１と、外部接続端子１１より取り込まれた携帯電話２での音声受信信号またはオーディオ機器３が出力するオーディオ信号を処理する信号処理回路４と、マイクロフォン２０の感度を調整する感度調整回路７とを備えている。
【００２９】
前記外部接続端子１１は３個の端子１１Ｅ，１１Ｒ，１１Ｌより成り、それぞれが第１の接続ケーブル８のプラグ８０に設けられた各電極部８１Ｅ，８１Ｒ，８１Ｌと接続される。携帯電話２での音声受信信号やオーディオ機器３が出力するオーディオ信号は端子１１Ｒより取り込まれる。
【００３０】
前記信号処理回路４は、携帯電話２での音声受信信号またはオーディオ機器３が出力するオーディオ信号を増幅する増幅回路４１と、携帯電話２での音声受信信号の低周波成分をカットして低音を除去するための低周波除去回路５と、外部接続端子１１に通話可能な状態の携帯電話２が接続されているとき低周波除去回路５を能動化しオーディオ機器３が接続されているとき低周波除去回路５を非能動化する制御回路６とを含んでいる。
【００３１】
前記低周波除去回路５は、２個のコンデンサＣ１，Ｃ２と１個の抵抗Ｒ１とで構成されている。コンデンサＣ１と抵抗Ｒ１とは直列接続されて分圧回路を構成する。周波数が低いときは、コンデンサＣ１のインピーダンスが大きくなって出力電圧が低くなり、一方、周波数が高いときは、コンデンサＣ１のインピーダンスが小さくなって出力電圧が高くなる。このようにして２０〜３００ヘルツの周波数帯がカットされ、エコー現象やハウリング音の発生が抑えられる。
【００３２】
低周波除去回路５の出力信号ｂは低周波成分が除かれかつ会話に必要な音域を有するもので、コンデンサＣ２を通して増幅回路４１へ与えられる。増幅回路４１は前記出力信号ｂを増幅して音声信号ｃを生成し、これをスピーカ５へ出力するとともに、感度調整回路７へ送る。
【００３３】
前記制御回路６は、オン、オフスイッチを構成する１個のトランジスタＴＲ１と、このトランジスタＴＲ１のベースに接続された抵抗Ｒ１とから成るもので、トランジスタＴＲ１のベースには抵抗Ｒ２を介して端子１１Ｒに取り出された電圧が作用する。
外部接続端子１１に第１、第２の各接続ケーブル８，９を介して通話可能な状態の携帯電話２が接続されているとき、携帯電話２における音声送信信号の送信回路は信号送信が可能な電圧レベルに設定されているので、その電圧レベルが端子１１Ｌを介してトランジスタＴＲ１のベースにかかり、トランジスタＴＲ１はオン動作する。これにより抵抗Ｒ１が生かされ、低周波除去回路５が能動化されて低周波成分が除去される。
【００３４】
外部接続端子１１に第１の接続ケーブル８を介してオーディオ機器３が接続されている場合は、オーディオ機器３が出力するオーディオ信号は信号の電圧レベルが低いので、トランジスタＴＲ１はオン動作せず、オフ状態にある。これにより抵抗Ｒ１は生かされず、低周波除去回路５は非能動化され、低周波成分は除去されない。
【００３５】
前記感度調整回路７は、マイクロフォン２０への音声入力によって得られる音声送信信号ｄの携帯電話２への供給を制限するための信号制限部７０と、前記増幅回路４１が音声信号ｃを出力するとき前記信号制限部７０を作動状態に設定し、前記音声信号ｃを出力しないとき前記信号制限部７０の非作動状態に設定する制御部７１とで構成されている。
【００３６】
前記信号制限部７０は、フォトカプラ７２と抵抗Ｒ４との直列回路により構成されており、マイクロフォン２０に対して並列になっている。制御部７１に増幅回路４１より音声信号ｃが送られてきたとき、フォトカプラ７２と抵抗Ｒ４との直列回路のインピーダンスが小さくなってマイクロフォン２０の感度が下がる。一方、制御部７１に増幅回路４１より音声信号ｃが送られてこないとき、フォトカプラ７２と抵抗Ｒ４との直列回路のインピーダンスが大きくなってマイクロフォン２０の感度が上がる。
【００３７】
前記制御部７１は、増幅回路４１の出力を整流する整流回路７３と、整流回路７３で得られた直流出力を抵抗Ｒ３を介してフォトカプラ７２へ与える駆動回路７４とで構成されている。前記増幅回路４１が音声信号ｃを出力するとき、この音声信号ｃを整流回路７３で整流して得られた直流出力が駆動回路７４によりフォトカプラ７２へ与えられると、フォトカプラ７２がオン動作する。これによりフォトカプラ７２と抵抗Ｒ４との直列回路のインピーダンスが小さくなって導通短絡状態になり、マイクロフォン２０への音声入力により得られた音声送信信号の携帯電話２への供給が制限される。
【００３８】
前記増幅回路４１が音声信号ｃを出力しないとき、フォトカプラ７２はオン動作せずオフ状態となる。これによりフォトカプラ７２と抵抗Ｒ４との直列回路のインピーダンスが大きくなって開放状態になり、マイクロフォン２０への音声入力により得られた音声送信信号は携帯電話２の送信回路へ供給される。
【００３９】
なお、感度調整回路７は上記した構成のものに限らず、例えば、図５に示すような構成のものであってもよい。図示例のものも、マイクロフォン２０への音声入力で得られた音声送信信号ｄの携帯電話２への供給を制限することが可能な信号制限部７０と、前記増幅回路４１が音声信号ｃを出力するとき前記信号制限部７０を作動状態に設定し、前記音声信号ｃを出力しないとき前記信号制限部７０を非作動状態に設定する制御部７１とで構成されている。
【００４０】
この実施例の信号制限部７０は、制御部７１に前記増幅回路４１より音声信号ｃが送られてきたとき、回路のインピーダンスが大きくなってマイクロフォン２０の感度が下がる。一方、制御部７１に前記増幅回路４１より音声信号ｃが送られてこないとき、回路のインピーダンスが小さくなってマイクロフォン２０の感度が上がる。
図示の信号制限部７０は、トランジスタＴＲ３と、このトランジスタＴＲ３のベースに接続された抵抗Ｒ５と、トランジスタＴＲ３のコレクタ、エミッタ間に接続されたコンデンサＣ３とで構成されており、この信号制限部７０のインピーダンスはトランジスタＴＲ３のコレクタ、エミッタ間の抵抗とコンデンサＣ３とで決まる。
【００４１】
前記制御部７１は、トランジスタＴＲ４と、トランジスタＴＲ４のベース側に接続された２個の抵抗Ｒ６，Ｒ７とで構成されている。前記抵抗Ｒ６は増幅回路４１の出力側に接続されている。トランジスタＴＲ４のコレクタはトランジスタＴＲ３のベースに接続されている。
前記増幅回路４１より音声信号ｃが送られてこないとき、トランジスタＴＲ４のベースに電流が流れず、トランジスタＴＲ４はオフ状態である。前記増幅回路４１より音声信号ｃが送られてくると、トランジスタＴＲ４には抵抗Ｒ６を介してベース電流が流れ、トランジスタＴＲ４はオン状態となる。
【００４２】
前記増幅回路４１および抵抗Ｒ５には電池１００によって常時正の電圧が印加されている。従って、前記した制御部７１のトランジスタＴＲ４がオフ状態のとき、信号制限部７０のトランジスタＴＲ３のベースに抵抗Ｒ５を介して正の電圧が印加されるため、トランジスタＴＲ３がオン状態となる。これによりトランジスタＴＲ３のコレクタ、エミッタ間が導通して信号制限部７０のインピーダンスが小さくなり、マイクロフォン２０への音声入力で得られた音声送信信号ｄは携帯電話２へ供給される。
【００４３】
一方、前記した制御部７１のトランジスタＴＲ４がオン状態のとき、トランジスタＴＲ４のコレクタ、エミッタ間が導通するので、信号制限部７０のトランジスタＴＲ３にベース電流が流れず、トランジスタＴＲ３がオフ状態となる。これにより信号制限部７０のインピーダンスが大きくなり、マイクロフォン２０への音声入力で得られた音声送信信号ｄの携帯電話２への供給が制限される。
【００４４】
上記した構成のスピーカー付きアンプ１の外部接続端子１１と携帯電話２の共通端子２０とが第１、第２の接続ケーブル８，９を介して接続されているとき、外部接続端子１１より携帯電話２での音声受信信号が信号処理回路４に取り込まれて増幅回路４１で増幅され、音声信号ｃはスピーカ４０で音声に変換されて出力されるので、通話相手の音声をスピーカーによって聞き取ることができる。
【００４５】
携帯電話２が通話可能な状態にあるとき、制御回路６におけるトランジスタＴＲ１がオン動作して低周波除去回路５が能動化されるので、低周波除去回路５で携帯電話２での音声受信信号に含まれる低周波成分がカットされて低音が除去される。これによりエコー現象の発生が抑制される。
【００４６】
外部接続端子１１に第１の接続ケーブル８によってオーディオ機器３が接続されているとき、制御回路６におけるトランジスタＴＲ１はオフ状態であって低周波除去回路５は非能動化されるので、オーディオ機器３が出力するオーディオ信号に含まれる低周波成分はカットされず、低音除去による音の変質や音質の低下を招くことがない。
【図面の簡単な説明】
【００４７】
【図１】この発明の一実施例であるスピーカー付きアンプの概略構成を示すブロック図である。
【図２】スピーカー付きアンプと携帯電話との接続状態を示す説明図である。
【図３】スピーカー付きアンプとオーディオ機器との接続状態を示す説明図である。
【図４】この発明の一実施例であるスピーカー付きアンプの構成と携帯電話のハンズフリー装置の構成とを示す電気回路図である。
【図５】他の実施例にかかる感度調整回路が用いられた携帯電話のハンズフリー装置の構成を示す電気回路図である。
【符号の説明】
【００４８】
１    スピーカー付きアンプ
２    携帯電話
３    オーディオ機器
４    信号処理回路
５    低周波除去回路
６    制御回路
７    感度調整回路
８，９  接続ケーブル
１１  外部接続端子
２０  マイクロフォン
４１  増幅回路
【図１】
2008131478.tif 000003
【図２】
2008131478.tif 000004
【図３】
2008131478.tif 000005
【図４】
2008131478.tif 000006
【図５】
2008131478.tif 000007